(57)【要約】【課題】回転洗浄ノズルと固定洗浄ノズルとを適正に組み合わせることで、高い洗浄性能と被洗浄物収容性を備えた食器洗い機を実現する。【解決手段】洗浄槽２の下方に第１および第２の回転洗浄ノズル３、４を配設すると共に洗浄槽２の側面に固定洗浄ノズル５を配設し、固定ノズル５から前方に延設した第３の回転洗浄ノズル７を配設する。各洗浄ノズルには洗浄ポンプ１１から分水手段１５を通じて順次洗浄水を供給して被洗浄物１０の洗浄がなされる。固定洗浄ノズル５の水平部位５ｂから噴射される洗浄水は上段食器かご９右側に収容された被洗浄物１０に向け洗浄水が噴射され、固定洗浄ノズル５と連通している第３の回転洗浄ノズル７から噴射される洗浄水は上段食器かご９左側に収容された被洗浄物１０を洗浄する。上記のように効果的に固定洗浄ノズルと回転洗浄ノズルを組み合わせることで、高い洗浄性能と被洗浄物収容性を実現することができる。【選択図】図１
2006288923.tif 000002
【特許請求の範囲】
【請求項１】
前面に開口を有する洗浄槽と、前記洗浄槽内に配設された食器かごと、前記食器かごに収容された被洗浄物に洗浄水を噴射する複数の噴射部と、前記複数の噴射部に洗浄水を供給するポンプ装置とを備え、前記複数の噴射部のうち少なくとも１つの噴射部を互いに連通する回転ノズルと固定ノズルとで構成した食器洗い機。
【請求項２】
固定ノズルは、洗浄槽の側壁に設けた請求項１に記載の食器洗い機。
【請求項３】
固定ノズルは、洗浄槽内の開口と相対する後面に設けた請求項２に記載の食器洗い機。
【請求項４】
回転ノズルは、固定ノズルから洗浄槽中央に向けて延設した請求項１〜３のいずれか１項に記載の食器洗い機。
【請求項５】
回転ノズルは、洗浄槽内で後方から前方に向かって延設した請求項４に記載の食器洗い機。
【請求項６】
回転ノズルは、固定ノズルに対し着脱可能かつ洗浄水が連通可能に接続された請求項１〜５のいずれか１項に記載の食器洗い機。
【発明の詳細な説明】
【技術分野】
【０００１】
本発明は洗浄槽内に収容した食器に洗浄水を噴射して食器を洗浄する食器洗い機に関するものである。
【背景技術】
【０００２】
従来、一般家庭用の食器洗い機は洗浄槽内に設置した食器かごに並べられた食器などの被洗浄物に洗浄水を噴射して洗浄するものが用いられてきた。このとき、食器かごに並べられた多数の被洗浄物に満遍なく洗浄水が噴射されるように、洗浄水を噴射する噴射部の配置が重要な要素となる。特に、洗浄槽内に多数の被洗浄物が収容できるように食器かごを複数段に設けた場合には、各段の被洗浄物に対して洗浄水が均等に噴射される必要があるが、上段に配置された食器かごに収容された被洗浄物には下方から噴射した洗浄水は下段に並べられた被洗浄物が障害となって充分に洗浄水が行き渡らず、上段に収容された被洗浄物に対する洗浄能力が低下することになる。
【０００３】
これらの問題を解決するために、洗浄槽内の多方向から被洗浄物に洗浄水を噴射できるように複数の噴射部を配置した食器洗い機が知られている。しかし、複数の噴射部から洗浄水を噴射できるようにするためには、洗浄槽に溜める給水量を増加させる必要があり、洗浄水を加熱するための加熱時間が長くなり、運転時間や消費電力が増加し、使用水量が増加するために洗浄ポンプを大型化する必要が生じるためコストアップにつながり、多量の洗浄水を使用することに伴う騒音、振動の増加などの問題が生じる。
【０００４】
そこで、複数の噴射部を設けて洗浄能力を向上させても給水量が増加せず、上記のような問題が発生しないように構成された食器洗い機が開発されている（例えば、特許文献１参照）。
【０００５】
この種の食器洗い機では、図６に示すように、複数の噴射部は、洗浄槽１０６の下方に回転洗浄ノズル１０１、１０２、洗浄槽１０６の側壁に固定洗浄ノズル１０３が配設されている。これらの各洗浄ノズル１０１〜１０３には洗浄ポンプ１０４で加圧された洗浄水が分水装置１０５から順次切り替えて送給される。このように洗浄水は各洗浄ノズル１０１〜１０３に順次切り替えて送給されるので、給水量を増加させることがなく、洗浄水は多数の被洗浄物１０７に噴射される。
【特許文献１】特開２００４−２６７６６１号公報
【発明の開示】
【発明が解決しようとする課題】
【０００６】
しかしながら、このような従来の食器洗い機においては、固定洗浄ノズル１０３で上段に配置された被洗浄物を洗浄した場合、固定洗浄ノズル１０３は一定範囲のみしか洗浄水を当てることができないため、様々な食器の形状、設置姿勢に対して洗浄水を満遍なく当てることができず、充分な洗浄性能が得られないという問題点があった。
【０００７】
本発明は、上記従来の課題を解決するもので、回転洗浄ノズルと固定洗浄ノズルとを適正に組み合わせることで、洗浄性能向上と省スペース化を両立させた食器洗い機を提供することを目的としている。
【課題を解決するための手段】
【０００８】
上記目的を達成するために本発明は、前面に開口を有する洗浄槽と、前記洗浄槽内に配設された食器かごと、前記食器かごに収容された被洗浄物に洗浄水を噴射する複数の噴射部と、前記複数の噴射部に洗浄水を供給するポンプ装置とを備え、前記複数の噴射部のうち少なくとも１つの噴射部を互いに連通する回転ノズルと固定ノズルとで構成した食器洗い機である。これにより、１つの噴射部において、食器かご上で様々な食器が置かれるような箇所については、回転洗浄ノズルにより洗浄を行い、ある程度食器の種類や設置姿勢が定まった箇所については、固定洗浄ノズルにより洗浄を行うことで、洗浄性能を確保すると共に、省スペース化も図ることができるものである。
【発明の効果】
【０００９】
本発明の食器洗い機は、回転洗浄ノズルと固定洗浄ノズルとを適正に組み合わせることで、洗浄性能向上と省スペース化を両立することができる。
【発明を実施するための最良の形態】
【００１０】
第１の発明は、前面に開口を有する洗浄槽と、前記洗浄槽内に配設された食器かごと、前記食器かごに収容された被洗浄物に洗浄水を噴射する複数の噴射部と、前記複数の噴射部に洗浄水を供給するポンプ装置とを備え、前記複数の噴射部のうち少なくとも１つの噴射部を互いに連通する回転ノズルと固定ノズルとで構成したことにより、１つの噴射部において、食器かご上で様々な食器が置かれるような箇所については、回転洗浄ノズルにより洗浄を行い、ある程度食器の種類や設置姿勢が定まった箇所については、固定洗浄ノズルにより洗浄を行うことで、洗浄性能を確保すると共に、省スペース可を図ることができる。
【００１１】
第２の発明は、上記第１の発明において、固定ノズルは、洗浄槽の側壁に設けたことにより、洗浄槽内の被洗浄物収容スペースを減少させることなく洗浄を行うことができる。
【００１２】
第３の発明は、上記第２の発明において、固定ノズルは、洗浄槽内の開口と相対する後面に設けたことにより、被洗浄物の設置時に邪魔になることがなく使い勝手を向上することができる。
【００１３】
第４の発明は、上記第１〜３の発明において、回転ノズルは、固定ノズルから洗浄槽中央に向けて延設したことにより、被洗浄物の設置場所によらず満遍なく洗浄水を噴射することができる。
【００１４】
第５の発明は、上記第４の発明において、回転ノズルは、洗浄槽内で後方から前方に向かって延設したことにより、被洗浄物の設置時や食器かごの出し入れ時に邪魔になることがなく使い勝手を向上することができる。
【００１５】
第６の発明は、上記第１〜５の発明において、回転ノズルは、固定ノズルに対し着脱可能かつ洗浄水が連通可能に接続されたことにより、食器設置時に回転ノズルが邪魔になる場合において、回転ノズルの取り外しが可能となり、食器の設置性を向上することができ、また、取り外して清掃可能なため、清掃性も高めることができる。
【００１６】
以下、本発明の実施の形態について、図面を参照しながら説明する。なお、従来例と同じ構成のものは同一符号を付して説明を省略する。また、この実施の形態によって本発明が限定されるものではない。
【００１７】
（実施の形態１）
図１および図２は本発明の実施の形態１における食器洗い機本体１の洗浄槽２内に被洗浄物１０を収容した状態を正面側および側面側から見た状態で示すもので、洗浄槽２内には、被洗浄物１０を収容する下段食器かご８および上段食器かご９がそれぞれ前後方向に引き出しできるように配設されている。上段食器かご９は左側部を右側部に比べ一段低い位置に配設することで、左側部を様々な食器が置けるスペースとしており、一方、上段食器かご９右側部については主にコップや湯飲みといった円筒形状の食器を置くスペースとしている。
【００１８】
また、洗浄槽２の下方には第１の回転洗浄ノズル３および第２の回転洗浄ノズル４が配設され、洗浄槽２の背面には略十字状に形成された固定洗浄ノズル５が配設されている。固定洗浄ノズル５の左側には固定洗浄ノズル５より前方へ延設した回転洗浄ノズル導水路６が接続され、さらに、その回転洗浄ノズル導水路６の先端部であって上段食器かご左側部下方の位置に第３の回転洗浄ノズル７が配設される。洗浄槽２内に収容された被洗浄物１０に対して前記第１の回転洗浄ノズル３、第２の回転洗浄ノズル４、固定洗浄ノズル５および固定洗浄ノズル５と連通した第３の回転洗浄ノズル７から洗浄水を噴射することにより、被洗浄物１０が洗浄される。
【００１９】
洗浄槽２の底部には、洗浄ポンプ１１の吸い込み側に連通した排水口１２が設けられ、排水口１２には残菜を収集する残菜フィルタ１３と、洗浄水を加熱するヒータ１４とが配設されている。残菜フィルタ１３を透過した洗浄水は洗浄ポンプ１１に吸い込まれて加圧され、分水手段１５によって第１および第２の各回転洗浄ノズル３、４、固定洗浄ノズル５および固定洗浄ノズル５と連通した第３の回転洗浄ノズル７から洗浄水が噴射される。
【００２０】
上記構成になる食器洗い機１は、扉１６を開いて被洗浄物１０を収容した下段食器かご８および上段食器かご９が洗浄槽２内に収容され、洗剤が投入されて扉１６により洗浄槽２の前面開口が閉じられると運転を開始して、洗浄工程、すすぎ工程、乾燥工程の順に実行する。
【００２１】
まず、給水弁が動作して所定量の洗浄水が洗浄槽２内に給水される。給水された洗浄水はヒータ１４によって加熱され、洗浄ポンプ１１によって加圧されて分水手段１５から第１、第２の各回転洗浄ノズル３、４、固定洗浄ノズル５および固定洗浄ノズル５と連通した第３の回転洗浄ノズル７に選択的に洗浄水が送給される。ここでは、分水手段１５は第１の回転洗浄ノズル３、第１の回転洗浄ノズル３と第２の回転洗浄ノズル４、第２の回転洗浄ノズル４、固定洗浄ノズル５とそれに連通した第３の回転洗浄ノズル７の順に所定時間毎に洗浄水の送給を切り替えるように動作する。
【００２２】
第１、第２および第３の回転洗浄ノズル３、４、７は送給された洗浄水が噴射口から噴出する噴流によって回転し、回転移動する洗浄水を噴射して下段食器かご８および上段食器かご９に収容された被洗浄物１０を洗浄する。また、固定洗浄ノズル５は上段食器かご９の下に水平方向に配列された噴射口から洗浄水を主に上段食器かご９の右側部に噴射して下向きに収容された被洗浄物１０の内面を洗浄すると共に、上部に開口する洗浄水噴射口２０ａから略水平方向に扇状に噴射される洗浄水により被洗浄物１０の外面を洗浄する。さらに固定洗浄ノズル５と連通した第３の回転洗浄ノズル７は上段食器かご９の主に左側部を洗浄する。
【００２３】
固定洗浄ノズルを用いて、上段食器かご９に収容された被洗浄物１０の洗浄を行う場合、様々な食器形状や設置姿勢に対し、安定した洗浄性能を保つことが困難であったが、本実施の形態においては、様々な食器が置けるスペースとした上段食器かご９左側部下方へ第３の回転洗浄ノズル７を配設することで、様々な食器形状や設置姿勢に対し、洗浄水をムラなく当てることができ、洗浄性能を保つことができる。
【００２４】
一方、上段食器かご９右側部については、主に、コップや湯飲みといった円筒状の食器を設置するスペースとしており、ある程度設置姿勢や食器形状が定まるため、固定洗浄ノズル５でも洗浄性能を確保することができ、省スペース化を図っている。また、第３の回転洗浄ノズル７を追加することによる被洗浄物１０の設置性については、回転洗浄ノズル導水路６を後方から前方へ洗浄槽２中央に向けて延設することにより、被洗浄物１０設置時に邪魔になることがなく、被洗浄物１０の設置性を確保している。
【００２５】
洗浄槽２内に第１、第２および第３の各回転洗浄ノズル３、４、７および固定洗浄ノズル５から噴射された洗浄水は被洗浄物１０を洗浄して洗浄槽２の下部に流下し、排水口１２に集められて再びヒータ１４によって加熱され、残菜フィルタ１３を透過して再び洗浄ポンプ１１から分水手段１５を経て第１および第２の各回転洗浄ノズル３、４、固定洗浄ノズル５および固定洗浄ノズル５と連通した第３の回転洗浄ノズル７に送給される。洗浄水が噴射されて被洗浄物１０から脱落した残菜は残菜フィルタ１３に捕集される。また洗浄水の温度は温度センサ１７によって検出されており、所定温度を超えるとヒータ１４への通電が停止されるので、洗浄に適した温度が維持される。
【００２６】
所定時間の洗浄工程が終了すると、汚れを含む洗浄水は排水ポンプ１８から機外に排出され、洗浄槽２内に新たに洗浄水が給水される。給水された洗浄水は洗浄ポンプ１１の運転により第１および第２の各回転洗浄ノズル３、４、固定洗浄ノズル５および固定洗浄ノズル５と連通した第３の回転洗浄ノズル７から噴射され、被洗浄物１０に付着した洗剤や残菜等洗い流すすすぎ工程が実行される。このすすぎ工程は、所定時間の運転の後、すすぎによって洗剤や残菜を洗い出した洗浄水は排水ポンプ１８から機外に排出され、洗浄槽２内には新たな洗浄水が給水され、再びすすぎ動作を行う工程を３回実行し、洗浄水を機外に排出してすすぎ工程を終了する。
【００２７】
続いて乾燥工程が実行され、図示しない送風機から洗浄槽２内に送給される外気がヒータ１４によって加熱され、送風と加温との両方の効果によって被洗浄物１０に付着した水滴の蒸発が促進される。この乾燥工程が所定時間実施された後、運転が停止されて食器洗浄のすべての工程が終了する。
【００２８】
上記各工程における洗浄槽２内への洗浄水の給水制御、洗浄ポンプ１１および排水ポンプ１８の駆動制御、温度センサ１７による温度検出に基づくヒータ１４への通電制御、乾燥工程における送風機の駆動制御などは、食器洗い機本体１内に設けられた図示しない制御装置によって実施される。
【００２９】
図３は、洗浄槽２内から下段食器かご８および上段食器かご９を外部に取り出した状態を正面側から見た状態を示すもので、固定洗浄ノズル５および固定洗浄ノズル５と連通した第３の回転洗浄ノズル７の形態をわかりやすく示している。固定洗浄ノズル５は扁平筒状に形成された垂直部位５ａおよび水平部位５ｂによって略十字状に形成され、垂直部位５ａの下端は分水手段１５に接続されている。水平部位５ｂは、上段食器かご９が左右で高さが異なる段差を設けた形状に形成されていることに対応して、水平部位５ｂは左右で高さ位置が異なる。
【００３０】
また、水平部位５ｂ左側には固定洗浄ノズル５から前方へ延設した回転洗浄ノズル導水路６が接続され、さらに、その回転洗浄ノズル導水路６の先端部であって、上段食器かご９左側部下方中央付近に第３の回転洗浄ノズル７が配設される。また、回転洗浄ノズル導水路６は固定洗浄ノズル５と着脱可能に接続されており、下段食器かご８左側に高さの高い食器などを収容する場合には回転洗浄ノズル導水路６を取り外すことにより、下段食器かご８への被洗浄物１０の設置性を高めることができる。
【００３１】
図４に固定洗浄ノズル５と回転洗浄ノズル導水路６との接続構成を詳しく示している。回転ノズル導水路６は略中空円筒状をなしており、その一端部外周には、９０度毎に爪部６０ａが４ヶ所設けられ、一方、固定洗浄ノズル５の接続部には爪部６０ａに対応した溝部５０ａが４ヶ所配設される。爪部６０ａと溝部５０ａとを前方から穴位置を合わせて挿入したのち、右方向に約１５度回転させ、突起６０ｂが突起５０ｂを乗り越えることにより係止させ、回転洗浄ノズル導水路６と固定洗浄ノズル５を水密に接続する。
【００３２】
固定洗浄ノズル５の水平部位５ｂには、上段食器かご９に収容された被洗浄物１０に洗浄水を噴射する洗浄水噴射口２０が複数に開口し、上段食器かご９に収容された被洗浄物１０の内面に向けて上方に洗浄水を噴射する。また、垂直部位５ａの上方には洗浄水噴射口２０ａが開口し、略水平方向の扇状に洗浄水を噴射する。尚、水平部位５ｂに設けられた複数の洗浄水噴射口２０ｂそれぞれは、必ずしも上向きに洗浄水を噴射するのではなく、例えば、箸やスプーン等の収容場所に近い洗浄水噴出口は横向きに洗浄水を噴射して汚れを落とし難い箸やスプーンなどに重点的に洗浄水を噴射するようにしてもよい。また、水平部位５ｂは、上段食器かご９が段差のないものである場合には、左右で高さ位置が異なる形状に形成する必要はない。
【００３３】
第３の回転洗浄ノズル７の上面には上段食器かご９左側に収容された被洗浄物に下方から洗浄水を噴射する洗浄水噴射口が複数に開口し、上段食器かご９左側部に収容された被洗浄物１０に真下から洗浄水を噴射することができ、様々な食器の形状や設置姿勢に対しても、ムラなく洗浄することができる。
【００３４】
固定洗浄ノズル５の垂直部位５ａと水平部位５ｂおよび固定洗浄ノズル５の水平部位５ｂと回転洗浄ノズル導水路６とは、それらが交差する部分で筒状内部が連通しており、垂直部位５ａの下方から供給される洗浄水が垂直部位５ａ、水平部位５ｂおよび回転洗浄ノズル導水路６に送給され、各洗浄水噴射口から噴射されるように構成されている。固定ノズル５は扁平な筒状に形成することによって、洗浄槽２の背面から突出して被洗浄物の収容スペースを削減してしまうことがない。
【００３５】
また、垂直部位５ａに設けられた洗浄水噴射口２０ａは、略水平方向の扇状に洗浄水を噴射するので、洗浄槽２内に収容された被洗浄物の上方から洗浄水を当てることができ、洗浄水噴射の主体となっている下方から噴射される洗浄水で洗浄され難い被洗浄物１０の上面部分を洗浄することができる。特に糸底のある被洗浄物１０、例えば、図１に示す湯飲み１０ａのように糸底のある食器は、糸底内に細かい残菜が残りやすくなるが、これに上方から洗浄水が噴射されることにより、細かい残菜が洗い出され、全ての面に洗浄水が行き渡る効果が得られる。
【００３６】
また、回転洗浄ノズル導水路６は円筒形状とすることで、上面への水滴の付着をなくし、乾燥性能を向上させている。
【００３７】
本実施の形態に係る食器洗い機では、噴射部が第１および第２の回転洗浄ノズル３、４、固定洗浄ノズル５および固定洗浄ノズル５と連通した第３の回転洗浄ノズル７として複数設けられており、洗浄ポンプ１１から送給される洗浄水は、分水手段１５によって各噴射部に対して選択的に送給される。ここでは、前述したように第１の回転洗浄ノズル３にのみ洗浄水が送給される状態、第１の回転洗浄ノズル３と第２の回転洗浄ノズル４に洗浄水が送給される状態、第２の回転洗浄ノズル４にのみ洗浄水が送給される状態、固定洗浄ノズル５とそれに連通した第３の回転洗浄ノズル７にのみ洗浄水が送給される状態、の４つの洗浄状態に分水制御される。
【００３８】
このように複数の噴射部に選択的に洗浄水を送給するようにすることにより、複数の噴射部の全てに同時に洗浄水を送給した場合に洗浄槽２内に溜める給水量が多くなり、使用水量の増加および温度上昇時間の増加に伴う消費電力量の増加、大型化などの問題を解消することができる。
【００３９】
複数の噴射部に選択的に洗浄水を送給する分水手段１５は本実施形態の構成のように３ヶ所の噴射部に選択的に洗浄水を送給する場合には、図５に示すような簡単な構造に分水手段１５を構成することができる。
【００４０】
図５は、分水手段１５の構成例を模式的に示すもので、中心部に洗浄ポンプ１１から洗浄水が供給される円筒状の分水弁４０の周面上には９０度方向に２ヵ所の送水開口部４１ａ、４１ｂが開口し、紙面上方を０度として時計回りの９０度方向に第１の回転洗浄ノズル３に配管された送水配管４２、１８０度方向に第２の回転洗浄ノズル４に配管された送水配管４３、３１５度方向に固定洗浄ノズル５およびそれに連通した第３の回転洗浄ノズル７に配管された送水配管４４がそれぞれ分水弁４０の周面に対向して配置されている。
【００４１】
分水弁４０を図示しない駆動手段により回転角度４５度毎に回動させ、図５（ａ）に示す角度位置に回動させると、送水開口部４１ｂが送水配管４２の方向に開口するので、洗浄ポンプ１１から分水弁４０内に供給された洗浄水は第１の回転洗浄ノズル３に送給される。また、図５（ｂ）に示す角度位置に回動させると、送水開口部４１ｂが送水配管４３の方向に開口し、送水開口部４１ａが送水配管４２の方向に開口するので、洗浄ポンプ１１から分水弁４０内に供給された洗浄水は第１の回転ノズル３と第２の回転洗浄ノズル４とに送給される。また、図５（ｃ）に示す角度位置に回動させると、送水開口部４１ａが送水配管４３方向に開口するので、第２の回転洗浄ノズル４に洗浄水が送給される。また、図５（ｄ）に示す角度位置に分水弁４０を回動させると、送水開口部４１ｂが送水配管４４の方向に開口するので、固定洗浄ノズル５およびそれに連通した第３の回転洗浄ノズル７に洗浄水が送給される。
【００４２】
分水手段１５を上記構成例のように構成することにより、前述した第１の回転洗浄ノズル３にのみ洗浄水が送給される状態、第１の回転洗浄ノズル３と第２の回転洗浄ノズル４に洗浄水が送給される状態、第２の回転洗浄ノズル４にのみ洗浄水が送給される状態、固定洗浄ノズル５とそれに連通した第３の回転洗浄ノズル７にのみ洗浄水が送給される状態、に順次切り替えることができる。
【産業上の利用可能性】
【００４３】
以上のように、本発明にかかる食器洗い機は回転洗浄ノズルと固定洗浄ノズルを効果的に組み合わせることにより、高い洗浄性能と被洗浄物収容性を得ることが可能となるので、洗浄水を噴射して被洗浄物の洗浄を行う食器洗い機等として有用である。
【図面の簡単な説明】
【００４４】
【図１】本発明の実施の形態１の食器洗い機の構成を示す正面図
【図２】同食器洗い機の構成を示す側面図
【図３】同食器洗い機に設けられた複数の噴射部の配置を示す正面図
【図４】固定洗浄ノズルと回転洗浄ノズル導水路との接続構成を示す斜視図
【図５】分水手段の構成例をその動作順に示す模式図
【図６】従来技術に係る食器洗い機の構成を示す正面図
【符号の説明】
【００４５】
１  食器洗い機本体
２  洗浄槽
３  第１の回転洗浄ノズル（噴射部）
４  第２の回転洗浄ノズル（噴射部）
５  固定洗浄ノズル（固定ノズル）
５ａ  垂直部位
５ｂ  水平部位
６  回転洗浄ノズル導水路
７  第３の回転洗浄ノズル（回転ノズル）
８  下段食器かご（食器かご）
９  上段食器かご（食器かご）
１０  被洗浄物
１１  洗浄ポンプ（ポンプ装置）
１５  分水手段
【図１】
2006288923.tif 000003
【図２】
2006288923.tif 000004
【図３】
2006288923.tif 000005
【図４】
2006288923.tif 000006
【図５】
2006288923.tif 000007
【図６】
2006288923.tif 000008